(57)【要約】      （修正有）【課題】受け部を囲む前方側壁部の外側面側の清浄性を向上し得る小便器装置を提供する。【解決手段】上方に向けて開口する受け部１５と洗浄水の給水機構２０とを備えた小便器装置１であって、受け部を囲むように区画する前方側壁部１６の外側面１６ａが全体に亘って平滑な連続面状とされ、この前方側壁部の上端縁部１７には、便器幅方向の広範囲に亘って外側面の洗浄が可能なように、かつ外側面に沿わせて給水機構からの洗浄水を流下させるように吐出する吐出部１７ａが設けられている。【選択図】図２
2017137669.tif 000002
【特許請求の範囲】
【請求項１】
上方に向けて開口する受け部と洗浄水の給水機構とを備えた小便器装置であって、
前記受け部を囲むように区画する前方側壁部の外側面が全体に亘って平滑な連続面状とされ、この前方側壁部の上端縁部には、便器幅方向の広範囲に亘って前記外側面の洗浄が可能なように、かつ該外側面に沿わせて前記給水機構からの洗浄水を流下させるように吐出する吐出部が設けられていることを特徴とする小便器装置。
【請求項２】
請求項１において、
前記受け部の後方側に連なるように上方側に向けて立ち上がる奥側壁部が前方に向けて開口するように設けられており、この奥側壁部の便器幅方向両側壁部の前端縁部のそれぞれには、これら両側壁部の上下方向の広範囲に亘って外側面の洗浄が可能なように、かつ該外側面に沿わせて前記給水機構からの洗浄水を流下させるように吐出する吐出部が設けられていることを特徴とする小便器装置。
【請求項３】
請求項１または２において、
前記前方側壁部の上端縁部には、該前方側壁部の内側面の洗浄が可能なように、かつ該内側面に沿わせて前記給水機構からの洗浄水を流下させるように吐出する吐出部が設けられていることを特徴とする小便器装置。
【請求項４】
請求項１乃至３のいずれか１項において、
予め設定された所定の設定時間となれば、前記吐出部から洗浄水を吐出させる制御を実行する制御部を備えていることを特徴とする小便器装置。
【請求項５】
請求項１乃至４のいずれか１項において、
前回の洗浄から予め設定された所定時間が経過すれば、前記吐出部から洗浄水を吐出させる制御を実行する制御部を備えていることを特徴とする小便器装置。
【請求項６】
請求項１乃至５のいずれか１項において、
前記吐出部が設けられた縁部に沿って延びるように、かつ該吐出部に連通するように開口が周面に設けられ前記給水機構を構成する管状部材を一体化した合成樹脂系材料から形成された小便器本体を備えていることを特徴とする小便器装置。
【発明の詳細な説明】
【技術分野】
【０００１】
本発明は、小便器装置に関する。
【背景技術】
【０００２】
従来より、上方に向けて開口する受け部（垂れ受け部）を備え、立位状態にて使用される小便器が知られている。
例えば、下記特許文献１には、上方に開口するボール部を囲む周壁の前方部分を、上部周壁と、この上部周壁の下側部位の外周面との間に隙間を空けて配された下部周壁と、に分けた構成とされた水洗小便器が開示されている。また、この水洗小便器は、上部周壁の上端部に、該上部周壁の全周に亘って上方に開口する溢水口を設けた構成とし、この溢水口からの溢水を、上部周壁の外周面と下部周壁の内周面とによって形成される収水路によって受ける構成とされている。
【先行技術文献】
【特許文献】
【０００３】
【特許文献１】特開２０１０−１０１１１７号公報
【発明の概要】
【発明が解決しようとする課題】
【０００４】
しかしながら、上記特許文献１に記載された水洗小便器では、ボール部を囲む周壁の大部分を占める下部周壁の外周面には溢水が流下しないため、更なる改善が望まれる。
【０００５】
本発明は、上記実情に鑑みてなされたものであり、受け部を囲む前方側壁部の外側面側の清浄性を向上し得る小便器装置を提供することを目的としている。
【課題を解決するための手段】
【０００６】
上記目的を達成するために、本発明に係る小便器装置は、上方に向けて開口する受け部と洗浄水の給水機構とを備えた小便器装置であって、前記受け部を囲むように区画する前方側壁部の外側面が全体に亘って平滑な連続面状とされ、この前方側壁部の上端縁部には、便器幅方向の広範囲に亘って前記外側面の洗浄が可能なように、かつ該外側面に沿わせて前記給水機構からの洗浄水を流下させるように吐出する吐出部が設けられていることを特徴とする。
【発明の効果】
【０００７】
本発明に係る小便器装置は、上述のような構成としたことで、受け部を囲む前方側壁部の外側面側の清浄性を向上させることができる。
【図面の簡単な説明】
【０００８】
【図１】本発明の一実施形態に係る小便器装置の一例を模式的に示す概略斜視図である。
【図２】同小便器装置の一例を模式的に示す概略縦断面図である。
【図３】（ａ）は、図２におけるＸ部に対応させた一部破断概略拡大縦断面図、（ｂ）は、同小便器装置の一変形例を模式的に示す（ａ）に対応させた一部破断概略拡大縦断面図である。
【図４】（ａ）、（ｂ）は、同小便器装置の製造方法の一例を模式的に示す一部省略概略横断面図である。
【図５】（ａ）は、同小便器装置において実行される洗浄動作の一例を模式的に示す概略フローチャート、（ｂ）は、同小便器装置において実行される洗浄動作の他例を模式的に示す概略タイムチャートである。
【図６】本発明の他の実施形態に係る小便器装置の一例を模式的に示し、図２に対応させた概略縦断面図である。
【発明を実施するための形態】
【０００９】
以下に本発明の実施の形態について、図面に基づいて説明する。
なお、一部の図では、他図に付している詳細な符号の一部を省略している。
また、以下の各実施形態では、設置された小便器装置に対面した状態を基準として、手前側を前方、その逆側を後方とし、また、その状態を基準として上下方向等の方向を説明する。
【００１０】
図１〜図５は、第１実施形態に係る小便器装置の一例及びその製造方法の一例を模式的に示す図である。
本実施形態に係る小便器装置１は、図１及び図２に示すように、上方に向けて開口する受け部１５と洗浄水の給水機構２０とを備えている。また、小便器装置１は、受け部１５の後方側に連なるように設けられた奥側壁部１２を備えている。この奥側壁部１２は、上方側に向けて立ち上がるように、かつ前方に向けて開口するように設けられている。この奥側壁部１２と受け部１５とによって前方及び上方に向けて開口する一連状のボウル部（鉢部）１１が構成される。図例では、床に載置されるように設置されるいわゆる床置型の縦長の小便器装置１を例示しているが、壁面に引っ掛けられるように設置される壁掛型の小便器装置１としてもよい。
【００１１】
また、小便器装置１は、受け部１５を囲むように区画する前方側壁部１６の上端縁部１７に、外側面１６ａに沿わせて給水機構２０からの洗浄水を流下させるように吐出する吐出部１７ａを設けた構成とされている。また、本実施形態では、この前方側壁部１６の上端縁部１７に、前方側壁部１６の内側面１６ｂの洗浄が可能なように、かつ内側面１６ｂに沿わせて給水機構２０からの洗浄水を流下させるように吐出する吐出部１７ｂを設けた構成としている。また、奥側壁部１２の便器幅方向両側壁部（両側壁部）１３，１３の前端縁部１４，１４のそれぞれに、これら両側壁部１３，１３の外側面１３ａ，１３ａに沿わせて給水機構２０からの洗浄水を流下させるように吐出する吐出部１４ａ，１４ａを設けた構成としている。また、奥側壁部１２の両側壁部１３，１３の前端縁部１４，１４のそれぞれに、これら両側壁部１３，１３の内側面１３ｂ，１３ｂに沿わせて給水機構２０からの洗浄水を流下させるように吐出する吐出部１４ｂ，１４ｂを設けた構成としている。
【００１２】
また、小便器装置１は、これら吐出部１４ａ，１４ｂ，１７ａ，１７ｂに加え、奥側壁部１２の上端側部位に、ボウル部１１内面を構成する奥側壁部１２の手前側を向く面（手前側面）に沿わせて洗浄水を流下させる主給水部１２ａを設けた構成とされている。
これら主給水部１２ａ及び吐出部１４ａ，１４ｂ，１７ａ，１７ｂに洗浄水を供給する給水機構２０は、洗浄水を貯留する水洗タンクを給水元としたものでもよいが、本実施形態では、給水管（水道管）を給水元とした水道直圧式としている。
また、給水機構２０は、給水管に接続される給水元側管路２１を、主給水部１２ａに洗浄水を供給する主給水管路２２と、縁部（前端縁部１４及び上端縁部１７）１４，１７の吐出部１４ａ，１４ｂ，１７ａ，１７ｂに洗浄水を供給する縁側給水管路２４と、に分岐させた構成とされている。主給水管路２２には、主給水管路２２を開閉し、洗浄水を供給及び遮断する主給水弁２３が設けられている。縁側給水管路２４には、縁側給水管路２４を開閉し、洗浄水を供給及び遮断する縁側給水弁２５が設けられている。これら主給水弁２３及び縁側給水弁２５は、開閉弁（ＯＮ／ＯＦＦ弁）としてもよい。
【００１３】
また、本実施形態では、小便器装置１に、人体の在及び不在を検知する人体検知センサー２９を設けた構成としている。この人体検知センサー２９は、人体の接近及び離間を検知し、人体の在及び不在を検知する赤外線センサーやマイクロ波センサー等としてもよい。図例では、この人体検知センサー２９を、奥側壁部１２の上端部の便器幅方向略中央部に設けた例を示している。
この人体検知センサー２９及び給水機構２０（主給水弁２３及び縁側給水弁２５）は、後記する洗浄動作を実行する制御部３０に信号線等を介して接続されている。
【００１４】
受け部１５は、後方側が奥側壁部１２によって区画され、前方側が前方側壁部１６によって囲むように区画され、底側が底壁部１８によって区画されている。この受け部１５の底壁部１８には、外部排水管２に接続される排水機構１９が設けられている。図例では、排水機構１９を、椀トラップ状のトラップ部を構成する着脱可能とされた目皿１９ａと床側の外部排水管２に接続される排水管路１９ｂとを備えた構成としている。なお、排水機構１９としては、図例のようなものに限られず、Ｐトラップ状のトラップ部を構成するものや、壁側の外部排水管に接続されるもの等、その他、種々の構成とされたものとしてもよい。
また、ボウル部１１内面を構成する底壁部１８の上方側に向く面は、目皿１９ａに設けられた排水孔の部位が最も低い位置となるように、外周側部位から中央側の排水孔に向かうに従い下るように傾斜する傾斜面状とされている。
【００１５】
受け部１５の前方側壁部１６は、底壁部１８から上方側に向けて立ち上がるように設けられている。また、この前方側壁部１６は、平面視して手前側に凸湾曲状となる略Ｕ字状（略半円状）とされ、便器幅方向両側の後端側が奥側壁部１２の便器幅方向両側の前方に向けて突出するように設けられた両側壁部１３，１３の下端部に連なるように形成されている。また、この前方側壁部１６の上端縁部１７の便器幅方向両側部位は、後方側に向かうに従い上るように、かつ、奥側壁部１２の両側壁部１３，１３の前端縁部１４，１４の下端側に連なるように形成されている。これら両側壁部１３，１３の前端縁部１４，１４の上端部は、ボウル部１１を区画する奥側壁部１２の手前側上端縁部に連なるように形成されている。つまり、前方側壁部１６の上端縁部１７、両側壁部１３，１３の前端縁部１４，１４及び奥側壁部１２の手前側上端縁部が一連状に形成され、これらがボウル部１１の開口周縁部を構成する。
【００１６】
また、これら前方側壁部１６の上端縁部１７及び両側壁部１３，１３の前端縁部１４，１４は、これらの延びる方向（ボウル部１１の開口周縁部の周方向）に見て略逆Ｕ字状（突湾曲面形状）とされている（図３（ａ）参照）。なお、前方側壁部１６の上端縁部１７と両側壁部１３，１３の前端縁部１４，１４とは、一連状に境界なく形成されているが、区別する必要がある場合には、底壁部１８の前後方向略中心よりも前方側を前方側壁部１６の上端縁部１７として把握するようにしてもよい。
また、前方側壁部１６の外側面１６ａは、略全体に亘って平滑な連続面状とされ、図例では、凸湾曲面状とされている。また、この外側面１６ａの便器幅方向後端側は、略全体に亘って平滑な連続面状とされた両側壁部１３，１３の外側面１３ａ，１３ａに連なるように形成されている。つまり、これら両側壁部１３，１３及び前方側壁部１６の外側面１３ａ，１３ａ，１６ａは、略全体に亘って平滑な連続面状とされている。
【００１７】
また、前方側壁部１６の内側面１６ｂは、ボウル部１１内面を構成し、略全体に亘って平滑な連続面状とされている。この内側面１６ｂの便器幅方向後端側は、略全体に亘って平滑な連続面状とされ、ボウル部１１内面を構成する両側壁部１３，１３の内側面１３ｂ，１３ｂに連なるように形成されている。これら両側壁部１３，１３の内側面１３ｂ，１３ｂの後端側は、奥側壁部１２の手前側面に連なるように形成されている。また、これら両側壁部１３，１３の内側面１３ｂ，１３ｂ、奥側壁部１２の手前側面及び前方側壁部１６の内側面１６ｂの下端側は、底壁部１８の上方側に向く面に連なるように形成されている。つまり、ボウル部１１の内面は、入隅部が凹湾曲面形状とされて概ね全体に亘って平滑な連続面状とされている。
【００１８】
主給水部１２ａは、上記した人体検知センサー２９の下方側に位置するように、かつ便器幅方向略中央部に位置するように設けられている。この主給水部１２ａは、奥側壁部１２の手前側面に沿わせて放射状に広がるように洗浄水が流下するように、手前側面に向けて洗浄水を吐出するいわゆるスプレッダーとしてもよい。図例では、この主給水部１２ａを、奥側壁部１２の手前側面の便器幅方向の広範囲に亘って洗浄が可能なように、便器幅方向に長尺状（横長状）とされたものとしているが、円形状等とされたものとしてもよい。なお、図２では、主給水部１２ａを簡略化して示している。
【００１９】
前方側壁部１６の外側面１６ａに洗浄水を吐出する吐出部１７ａは、便器幅方向の広範囲に亘って外側面１６ａの洗浄が可能なように設けられている。また、前方側壁部１６の内側面１６ｂに洗浄水を吐出する吐出部１７ｂは、便器幅方向の広範囲に亘って内側面１６ｂの洗浄が可能なように設けられている。本実施形態では、前方側壁部１６の外側面１６ａに洗浄水を吐出する吐出部としての外側吐出部１７ａと、前方側壁部１６の内側面１６ｂに洗浄水を吐出する吐出部としての内側吐出部１７ｂと、を前方側壁部１６の上端縁部１７に個別に設けた構成としている。つまり、外側面１６ａに洗浄水を吐出する吐出部と内側面１６ｂに洗浄水を吐出する吐出部とを兼用のものとせずに、外側面１６ａ及び内側面１６ｂのそれぞれに洗浄水を吐出する外側吐出部１７ａ及び内側吐出部１７ｂを設けた構成としている。
【００２０】
また、図３（ａ）に示すように、前方側壁部１６の外側吐出部１７ａ及び内側吐出部１７ｂを、斜め下方側に向けて開口するように設けた構成としている。また、これら外側吐出部１７ａ及び内側吐出部１７ｂを、前方側壁部１６の上端縁部１７の延びる方向（ボウル部１１の開口周縁部の周方向）に間隔を空けて設けられた複数の吐出孔としている。また、これら外側吐出部１７ａ及び内側吐出部１７ｂを、略等間隔を空けて、前方側壁部１６の上端縁部１７の延びる方向の全体に亘って設けた構成としている。なお、これら外側吐出部１７ａ及び内側吐出部１７ｂを、前方側壁部１６の上端縁部１７の延びる方向の略半分以上の部位に亘って設けた構成としてもよい。
また、これら外側吐出部１７ａ及び内側吐出部１７ｂを設ける間隔（ピッチ）や孔径は、便器幅方向の広範囲に亘って前方側壁部１６の外側面１６ａ及び内側面１６ｂの洗浄が可能なように適宜の寸法としてもよい。図例では、これら外側吐出部１７ａ及び内側吐出部１７ｂを、開口方向に見て、上端縁部１７の延びる方向に長径状とされた長円状（楕円状）とした例を示しているが、矩形状等としてもよい。
【００２１】
両側壁部１３，１３の外側面１３ａ，１３ａに洗浄水を吐出する吐出部１４ａ，１４ａは、両側壁部１３，１３の上下方向の広範囲に亘って外側面１３ａ，１３ａの洗浄が可能なように設けられている。また、両側壁部１３，１３の内側面１３ｂ，１３ｂに洗浄水を吐出する吐出部１４ｂ，１４ｂは、両側壁部１３，１３の上下方向の広範囲に亘って内側面１３ｂ，１３ｂの洗浄が可能なように設けられている。本実施形態では、上記同様、各外側面１３ａ，１３ａに洗浄水を吐出する外側吐出部１４ａ，１４ａと、各内側面１３ｂ，１３ｂに洗浄水を吐出する内側吐出部１４ｂ，１４ｂと、を両側壁部１３，１３の前端縁部１４，１４に個別に設けた構成としている。これら両側壁部１３，１３の外側吐出部１４ａ，１４ａ及び内側吐出部１４ｂ，１４ｂは、詳細な図示は省略しているが、斜め後方側に向けて開口するように設けられている。
【００２２】
また、これら両側壁部１３，１３の外側吐出部１４ａ，１４ａ及び内側吐出部１４ｂ，１４ｂを、前方側壁部１６の外側吐出部１７ａ及び内側吐出部１７ｂと同様、前端縁部１４，１４の延びる方向に略等間隔を空けて設けられた複数の吐出孔としている。また、これら両側壁部１３，１３の外側吐出部１４ａ，１４ａ及び内側吐出部１４ｂ，１４ｂを、上記同様、開口方向に見て、前端縁部１４，１４の延びる方向に長径状とされた長円状（楕円状）としている。
これら両側壁部１３，１３の外側吐出部１４ａ，１４ａ及び内側吐出部１４ｂ，１４ｂを設ける間隔（ピッチ）や孔径は、上記同様、上下方向の広範囲に亘って外側面１３ａ，１３ａ及び内側面１３ｂ，１３ｂの洗浄が可能なように適宜の寸法としてもよい。なお、前方側壁部１６の外側吐出部１７ａ及び内側吐出部１７ｂ並びに両側壁部１３，１３の外側吐出部１４ａ，１４ａ及び内側吐出部１４ｂ，１４ｂを、それぞれ略同径状とし、かつ略等間隔を空けて設けた態様に代えて、種々の態様としてもよい。
【００２３】
また、これら両側壁部１３，１３の外側吐出部１４ａ，１４ａは、外側面１３ａ，１３ａを上下方向の広範囲に亘って洗浄可能なように、上端部（最上端の吐出孔）が外側面１３ａ，１３ａの上下方向中央よりも上方側に位置するように設けられたものとしてもよい。また、これら両側壁部１３，１３の内側吐出部１４ｂ，１４ｂは、内側面１３ｂ，１３ｂを上下方向の広範囲に亘って洗浄可能なように、上端部（最上端の吐出孔）が内側面１３ｂ，１３ｂの上下方向中央よりも上方側に位置するように設けられたものとしてもよい。図例では、これら両側壁部１３，１３の外側吐出部１４ａ，１４ａ及び内側吐出部１４ｂ，１４ｂの各上端部（最上端の吐出孔）が主給水部１２ａと略同高さに位置するように設けた例を示している。
なお、床側や小便器装置１の下端側部位等に、外側面１３ａ，１３ａ，１６ａに沿わせるように、排水溝等を設けた構成としてもよい。
【００２４】
また、本実施形態では、図３（ａ）に示すように、これら吐出部１４ａ，１４ｂ，１７ａ，１７ｂが設けられた縁部１４，１７に沿って延びるように、給水機構２０を構成する管状部材２６を設けた構成としている。この管状部材２６の周面には、吐出部１４ａ，１４ｂ，１７ａ，１７ｂに連通するように開口２６ａ，２６ｂが設けられている。また、当該小便器装置１を構成する小便器本体１０を、この管状部材２６を一体化した合成樹脂系材料から形成されたものとしている。このような構成とすれば、吐出部１４ａ，１４ｂ，１７ａ，１７ｂの周囲に段差等が形成され難く、清掃性を向上させることができる。また、縁部１４，１７に吐出部１４ａ，１４ｂ，１７ａ，１７ｂが設けられた小便器本体１０を、後述のように、インサート成形によって容易に形成することができる。
【００２５】
また、本実施形態では、単一の管状部材２６を、両側壁部１３，１３の前端縁部１４，１４及び前方側壁部１６の上端縁部１７に沿って設けた構成としている。この管状部材２６は、上記した縁側給水管路２４に連通するように接続されて縁部給水管路を構成する。なお、この管状部材２６の長手方向両端開口のそれぞれを、縁側給水管路２４に連通接続するようにしてもよい。この場合は、縁側給水管路２４を適宜、分岐させるようにしてもよく、または、ループ状に形成された管状部材２６の上端部に縁側給水管路２４を接続した構成等としてもよい。
また、管状部材２６の周面には、各縁部１４，１７の外側吐出部１４ａ，１７ａに連通する外側開口２６ａと、各縁部１４，１７の内側吐出部１４ｂ，１７ｂに連通する内側開口２６ｂと、が設けられている。これら外側開口２６ａ及び内側開口２６ｂは、外側吐出部１４ａ，１７ａ及び内側吐出部１４ｂ，１７ｂに応じた位置となるように、管状部材２６の長手方向に略等間隔を空けて複数箇所に孔状に設けられている。
【００２６】
この管状部材２６と小便器本体１０とは、図４に示すように、管状部材２６を、前端縁部１４，１４及び上端縁部１７に応じた位置となるように金型３のキャビティ内に配置した状態で、合成樹脂系材料をキャビティに射出、充填して一体化されたものとしてもよい。つまり、合成樹脂系材料からなる小便器本体１０を、管状部材２６をインサートしたインサート成形品としてもよい。なお、小便器本体１０を構成する合成樹脂系材料としては、アクリル樹脂等をベースとした有機ガラス系材料等を採用するようにしてもよい。また、管状部材２６としては、金属系材料や可撓性を有した合成樹脂系材料から形成されたものとしてもよい。また、吐出部１４ａ，１４ｂ，１７ａ，１７ｂは、管状部材２６の開口２６ａ，２６ｂに連通するように金型３によって形成されたものでもよく、成形後に形成されたものでもよい。
【００２７】
また、図例では、管状部材２６を、長手方向に見て、略真円状とした例を示しているが、略楕円状や略多角状等とされたものとしてもよい。また、図例では、管状部材２６を小便器本体１０の縁部１４，１７に埋込状に一体化した例を示しているが、管状部材２６の周面の一部が露出するように小便器本体１０に一体化した構成としてもよい。例えば、管状部材２６が小便器本体１０の縁部１４，１７を構成するように管状部材２６を小便器本体１０に一体化した構成としてもよい。この場合は、管状部材２６の周面に設けられた開口２６ａ，２６ｂが吐出部１４ａ，１４ｂ，１７ａ，１７ｂとして機能するものとしてもよい。なお、図４では、金型３の一部の図示を省略して模式的に示している。また、図２及び図４では、小便器本体１０の一部に中空部を設けたような図示としているが、金型３の型抜きが可能なように適宜の形状としてもよい。
【００２８】
制御部３０は、小便器本体１０の適所や、壁面等に設置されるリモコン装置に設けられている。
この制御部３０には、ＣＰＵ等の制御回路や、メモリ等によって構成され、各種動作プログラム等を記憶する記憶部等が設けられている。また、この制御部３０に、後記する設定時間や所定時間を設定したり、変更したりするための操作部を設けた構成としてもよい。
この制御部３０によって、人体検知センサー２９の検知に基いて給水機構２０（主給水弁２３及び縁側給水弁２５）が作動制御され、洗浄動作がなされる。例えば、人体検知センサー２９が人体の接近を検知すれば、主給水弁２３を所定時間が経過するまで開とし、主給水部１２ａから洗浄水をボウル部１１内面に吐出させる第１洗浄（プレ洗浄）を実行するようにしてもよい。そして、人体検知センサー２９が人体の離間を検知すれば、主給水弁２３を所定時間が経過するまで開とし、主給水部１２ａから洗浄水をボウル部１１内面に吐出させる第２洗浄（本洗浄）を実行するようにしてもよい。つまり、人体検知センサー２９が給水機構２０を作動させる洗浄操作部を構成するものとしてもよい。なお、このような態様に代えて、押釦等の手動操作がなされる洗浄操作部を設けた構成としてもよい。
【００２９】
また、制御部３０によってなされる洗浄動作の一例としては、例えば、図５（ａ）に示すように、予め設定された所定の設定時間となれば、吐出部１４ａ，１４ｂ，１７ａ，１７ｂから洗浄水を吐出させる制御を実行するようにしてもよい。このような構成とすれば、例えば、比較的に使用の少ない時間等に吐出部１４ａ，１４ｂ，１７ａ，１７ｂから洗浄水を吐出させることができ、自動洗浄することができる。また、主給水部１２ａによる洗浄毎に吐出させることなく設定時間となった場合にのみ吐出させる態様とすれば、節水を図ることができる。つまり、上記のような洗浄操作部に基く第１洗浄や第２洗浄などの主給水部１２ａからの主洗浄とは別途に、設定時間となれば、吐出部１４ａ，１４ｂ，１７ａ，１７ｂから洗浄水を吐出させる制御を実行するようにしてもよい。また、長時間に亘って使用がされない場合にも設定時間になれば洗浄することができ、つまり、言わば定期的に自動洗浄がなされ、外側面１３ａ，１６ａ（及び内側面１３ｂ，１６ｂ）の清浄性を向上させることができる。
【００３０】
本動作例では、所定の設定時間となり（ステップ１００）、人体検知無しであれば（ステップ１０１）、縁側給水弁２５を所定時間が経過するまで開（ステップ１０２〜１０４）とする制御を実行する構成としている。つまり、本動作例では、所定の設定時間となり、かつ人体検知センサー２９が人体を検知していなければ、つまり、不使用状態であれば、吐出部１４ａ，１４ｂ，１７ａ，１７ｂから洗浄水を吐出させる制御を実行するようにしている。つまりは、設定時間となっても人体を検知している間は、洗浄水を吐出させずに待機させ、不在となれば、吐出部１４ａ，１４ｂ，１７ａ，１７ｂから洗浄水を吐出させる態様としている。なお、この際、主給水弁２３も所定時間が経過するまで開とし、主給水部１２ａからも洗浄水を吐出させるようにしてもよい。
【００３１】
上記洗浄動作の実行により、吐出部１４ａ，１４ｂ，１７ａ，１７ｂから洗浄水が吐出され、外側面１３ａ，１６ａ及び内側面１３ｂ，１６ｂの洗浄がなされる。上記設定時間は、比較的に使用の少ない深夜や早朝の適宜の時間に予め設定されたものでもよく、適宜、変更操作が可能とされたものでもよい。また、上記設定時間は、例えば、直近数日間の使用状態を蓄積するデータに基づいて自動的に使用の少ない時間となるように設定、更新されるもの等でもよく、その他、種々の設定時間としてもよい。また、上記設定時間は、例えば、２４時間（１日）に１回の洗浄がなされるように設定されたものに限られず、１日に複数回の洗浄がなされるように設定されたり、複数日のうちに１回の洗浄がなされるように設定されたもの等でもよい。また、縁側給水弁２５を開とする上記所定時間は、外側面１３ａ，１６ａ及び内側面１３ｂ，１６ｂの洗浄が可能なように適宜の時間としてもよく、数秒から数十秒程度等としてもよい。
【００３２】
また、制御部３０によってなされる洗浄動作の一例としては、例えば、図５（ｂ）に示すように、前回の洗浄から予め設定された所定時間（所定の第１時間）Ｔ１が経過すれば、吐出部１４ａ，１４ｂ，１７ａ，１７ｂから洗浄水を吐出させる制御を実行するようにしてもよい。このような構成とすれば、長時間に亘って使用がなされない場合にも、少なくとも所定の第１時間Ｔ１が経過する毎に、吐出部１４ａ，１４ｂ，１７ａ，１７ｂから外側面１３ａ，１６ａ（及び内側面１３ｂ，１６ｂ）に洗浄水が吐出され、洗浄を行うことができる。図例では、人体検知センサー２９が人体を検知した後、人体が不在となれば、主給水弁２３を所定時間が経過するまで開とし、また、主給水弁２３の開放から所定の遅延時間が経過すれば、縁側給水弁２５を所定時間が経過するまで開とする構成としている。また、縁側給水弁２５の開放から所定の第１時間Ｔ１が経過すれば、主給水弁２３及び縁側給水弁２５を所定時間が経過するまで開とする構成としている。
【００３３】
所定の第１時間Ｔ１は、小便器装置１が設置される箇所や使用頻度等に応じて、適宜の時間としてもよく、例えば、数時間や十数時間等としてもよい。
なお、図例では、所定の第１時間Ｔ１を、縁側給水弁２５の開放時点からの経過時間とした例を示しているが、縁側給水弁２５の開放から閉鎖までの任意の時点からの経過時間としてもよい。また、所定の第１時間Ｔ１が経過することなく、洗浄操作、つまり、人体検知センサー２９が人体を検知すれば、所定の第１時間Ｔ１をリセットするようにしてもよい。
また、図例では、所定の第１時間Ｔ１が経過すれば、主給水弁２３及び縁側給水弁２５を所定時間が経過するまで開とする例を示しているが、縁側給水弁２５のみを開とする態様としてもよい。
また、本動作例に加えて、上記した所定の設定時間となれば、吐出部１４ａ，１４ｂ，１７ａ，１７ｂから洗浄水を吐出させる制御の実行も可能である。
【００３４】
本実施形態に係る小便器装置１は、上述のような構成としたことで、受け部１５を囲む前方側壁部１６の外側面１６ａ側の清浄性を向上させることができる。
つまり、外側面１６ａが全体に亘って平滑な連続面状とされた前方側壁部１６の上端縁部１７に、便器幅方向の広範囲に亘って外側面１６ａの洗浄が可能なように、かつ外側面１６ａに沿わせて洗浄水を流下させるように吐出する吐出部（外側吐出部）１７ａを設けた構成としている。従って、ボウル部１１の内面側に供給される洗浄水（主給水部１２ａからの洗浄水（主洗浄水））では洗浄し難く、尿滴が付着し易い受け部１５の前方側壁部１６の外側面１６ａを、外側吐出部１７ａから吐出された洗浄水によって洗浄することができ、前方側壁部１６の外側面１６ａ側の清浄性を向上させることができる。また、前方側壁部１６の外側面１６ａを全体に亘って平滑な連続面状としているので、この外側面１６ａに沿って流下する洗浄水によって、外側面１６ａの上下方向の略全体に亘って洗浄することができる。また、前方側壁部を上部周壁と下部周壁とからなる二重壁構造としたようなものと比べて構造の簡略化を図ることができる。
【００３５】
また、本実施形態では、前方側壁部１６の上端縁部１７に、斜め下方側の外側に向けて開口させるように外側吐出部１７ａを設けた構成としている。従って、上方側等に向けて開口させるように外側吐出部１７ａを設けたものと比べて、前方側壁部１６の外側面１６ａに沿わせて洗浄水を効果的に流下させることができ、また、外側吐出部１７ａ内への汚水等の侵入を抑制することができる。
【００３６】
また、本実施形態では、奥側壁部１２の両側壁部１３，１３の前端縁部１４，１４のそれぞれに、上下方向の広範囲に亘って外側面１３ａ，１３ａの洗浄が可能なように洗浄水を吐出する吐出部（外側吐出部）１４ａ，１４ａを設けた構成としている。従って、上記同様、ボウル部１１の内面側に供給される洗浄水（主給水部１２ａからの洗浄水（主洗浄水））では洗浄し難く、尿滴が付着し易い奥側壁部１２の両側壁部１３，１３の外側面１３ａ，１３ａをも洗浄水によって洗浄することができる。
また、本実施形態では、両側壁部１３，１３の前端縁部１４，１４のそれぞれに、斜め後方側の外側に向けて開口させるように外側吐出部１４ａ，１４ａを設けた構成としている。従って、前方側等に向けて開口させるように設けたものと比べて、各側壁部１３，１３の外側面１３ａ，１３ａに沿わせて洗浄水を効果的に流下させることができ、また、外側吐出部１４ａ，１４ａ内への汚水等の侵入を抑制することができる。
【００３７】
また、本実施形態では、前方側壁部１６の上端縁部１７に、前方側壁部１６の内側面１６ｂの洗浄が可能なように、かつ内側面１６ｂに沿わせて給水機構２０からの洗浄水を流下させるように吐出する吐出部（内側吐出部）１７ｂを設けた構成としている。従って、主給水部１２ａからの洗浄水（主洗浄水）では洗浄し難い前方側壁部１６の内側面１６ｂを効果的に洗浄することができる。
また、本実施形態では、前方側壁部１６の上端縁部１７に、外側吐出部１７ａと内側吐出部１７ｂとを個別に設けた構成としている。従って、例えば、外側及び内側兼用となるように上方側に向けて開口するように吐出部を設けたような態様と比べて、前方側壁部１６の外側面１６ａ及び内側面１６ｂのそれぞれを効果的に洗浄することができる。
【００３８】
また、本実施形態では、奥側壁部１２の両側壁部１３，１３の前端縁部１４，１４のそれぞれに、これら両側壁部１３，１３の内側面１３ｂ，１３ｂの洗浄が可能なように洗浄水を吐出する吐出部（内側吐出部）１４ｂ，１４ｂを設けた構成としている。従って、上記同様、主給水部１２ａからの洗浄水（主洗浄水）では洗浄し難い両側壁部の内側面１３ｂ，１３ｂを効果的に洗浄することができる。
また、本実施形態では、これら両側壁部１３，１３の前端縁部１４，１４のそれぞれに、外側吐出部１４ａ，１４ａと内側吐出部１４ｂ，１４ｂとを個別に設けた構成としている。従って、例えば、外側及び内側兼用となるように前方側に向けて開口するように吐出部を設けたような態様と比べて、両側壁部１３，１３の外側面１３ａ，１３ａ及び内側面１３ｂ，１３ｂのそれぞれを効果的に洗浄することができる。
【００３９】
次に、小便器装置の一変形例について、図３（ｂ）を参照しながら説明する。
なお、上記した例との相違点について主に説明し、同様の構成については、同一の符号を付し、その説明を省略または簡略に説明する。
本変形例に係る小便器装置１Ａは、小便器本体１０Ａの吐出部１７Ａａ，１７Ａｂの構成が上記した例とは、主に異なる。
本変形例では、前方側壁部１６の上端縁部１７Ａに、上端縁部１７Ａの延びる方向に長尺スリット状の外側吐出部１７Ａａ及び内側吐出部１７Ａｂを設けた例を示している。また、図示は省略しているが、両側壁部１３，１３の前端縁部１４，１４にもこれら前端縁部１４，１４の延びる方向に長尺スリット状の外側吐出部及び内側吐出部が設けられている。これら外側吐出部１７Ａａ及び内側吐出部１７Ａｂのスリット幅は、全長に亘って略同一幅とされたものとしてもよいが、長手方向の一部分が異なる幅等とされたものとしてもよい。
【００４０】
また、管状部材２６Ａの周面の外側開口２６Ａａ及び内側開口２６Ａｂは、上記同様、外側吐出部１７Ａａ及び内側吐出部１７Ａｂに連通するように設けられている。これら外側開口２６Ａａ及び内側開口２６Ａｂは、外側吐出部１７Ａａ及び内側吐出部１７Ａｂと同様、管路長手方向に延びる長尺スリット状とされたものとしてもよいが、管状部材２６Ａの長手方向に間隔を空けて複数箇所に設けられた孔状とされたものとしてもよい。
なお、本変形例において説明した長尺スリット状の外側吐出部及び内側吐出部と、上記した例の複数の吐出孔からなる外側吐出部及び内側吐出部と、を組み合わせて設けた構成としてもよい。例えば、前方側壁部１６の上端縁部１７Ａに、長尺スリット状の外側吐出部１７Ａａ及び内側吐出部１７Ａｂを設け、両側壁部１３，１３の前端縁部１４，１４に、複数の吐出孔からなる外側吐出部１４ａ及び内側吐出部１４ｂを設けたような態様等としてもよい。長尺スリット状の吐出部と複数の吐出孔からなる吐出部とを組み合わせて設ける態様としては、その他、種々の変形が可能である。
【００４１】
次に、本発明に係る他の実施形態について、図面を参照しながら説明する。
図６は、第２実施形態に係る小便器装置の一例を模式的に示す図である。
なお、上記第１実施形態との相違点について主に説明し、同様の構成については、同一の符号を付し、その説明を省略または簡略に説明する。
【００４２】
本実施形態に係る小便器装置１Ｂは、給水機構２０Ａを構成する管状部材２６Ｂの構成が上記した例とは、主に異なる。本実施形態では、管状部材２６Ｂとして、外側吐出部１４ａ（図１参照），１７ａに洗浄水を供給する外側管状部材２７と内側吐出部１４ｂ，１７ｂに洗浄水を供給する内側管状部材２８とを小便器本体１０Ｂに一体化して設けた構成としている。これら外側管状部材２７及び内側管状部材２８は、上記同様、両側壁部１３，１３の前端縁部１４Ｂ，１４Ｂ及び前方側壁部１６の上端縁部１７Ｂに沿って延びるように設けられている。外側管状部材２７の周面には、上記同様、外側吐出部１４ａ（図１参照），１７ａに連通するように開口２７ａが設けられている。内側管状部材２８の周面には、上記同様、内側吐出部１４ｂ，１７ｂに連通するように開口２８ａが設けられている。なお、図例では、外側吐出部１４ａ（図１参照），１７ａ及び内側吐出部１４ｂ，１７ｂを、複数の吐出孔からなるものとした例を示しているが、上記した変形例のように、長尺スリット状とされたものとしてもよい。
【００４３】
また、本実施形態では、給水元側管路２１を、主給水管路２２と、外側管状部材２７に連通するように接続される第１縁側給水管路２４Ａと、内側管状部材２８に連通するように接続される第２縁側給水管路２４Ｂと、に分岐させた構成としている。また、第１縁側給水管路２４Ａに、第１縁側給水管路２４Ａを開閉し、洗浄水を供給及び遮断する第１縁側給水弁２５Ａを設け、第２縁側給水管路２４Ｂに、第２縁側給水管路２４Ｂを開閉し、洗浄水を供給及び遮断する第２縁側給水弁２５Ｂを設けた構成としている。また、これら第１縁側給水弁２５Ａ及び第２縁側給水弁２５Ｂを、上記同様、制御部３０に信号線等を介して接続し、制御部３０に作動制御がなされるものとしている。
つまり、本実施形態では、外側吐出部１４ａ（図１参照），１７ａからの洗浄水の供給と内側吐出部１４ｂ，１７ｂからの洗浄水の供給とを個別に制御可能としている。
【００４４】
このような構成とした場合には、例えば、洗浄操作がなされれば、主給水弁２３及び第２縁側給水弁２５Ｂを所定時間が経過するまで開とし、主給水部１２ａ及び内側吐出部１４ｂ，１７ｂから洗浄水を吐出させる制御を実行するようにしてもよい。また、上記のように予め設定された設定時間となれば、第１縁側給水弁２５Ａを所定時間が経過するまで開とし、外側吐出部１４ａ（図１参照），１７ａから洗浄水を吐出させる制御を実行するようにしてもよい。なお、このような洗浄動作に代えて、本実施形態においても、上記した各種の洗浄動作や、その他、種々の洗浄動作の実行が可能である。
【００４５】
また、上記各実施形態では、外側面を洗浄する外側吐出部と内側面を洗浄する内側吐出部とを縁部（上端縁部及び前端縁部）に個別に設けた例を示しているが、外側面及び内側面に向けて洗浄水を吐出可能な兼用の吐出部を縁部に設けた態様としてもよい。
また、上記各実施形態では、前方側壁部１６の外側面を洗浄する吐出部と前方側壁部１６の内側面を洗浄する吐出部と両側壁部１３，１３の外側面を洗浄する吐出部と両側壁部１３，１３の内側面を洗浄する吐出部とを設けた例を示しているが、少なくとも前方側壁部１６の外側面を洗浄する吐出部を設けた態様とすればよい。
また、小便器本体１，１Ａ，１Ｂの形状は、図例のような形状に限られず、種々の変形が可能である。
【符号の説明】
【００４６】
１，１Ａ，１Ｂ        小便器装置
１０，１０Ａ，１０Ｂ  小便器本体
１２                  奥側壁部
１３                  側壁部
１３ａ                外側面
１４，１４Ｂ          前端縁部（縁部）
１４ａ                外側吐出部（吐出部）
１５                  受け部
１６                  前方側壁部
１６ａ                外側面
１６ｂ                内側面
１７，１７Ａ，１７Ｂ  上端縁部（縁部）
１７ａ，１７Ａａ      外側吐出部（吐出部）
１７ｂ，１７Ａｂ      内側吐出部（吐出部）
２０，２０Ａ          給水機構
２６，２６Ａ，２６Ｂ  管状部材
２６ａ，２６Ａａ      外側開口（開口）
２６ｂ，２６Ａｂ      内側開口（開口）
２７                  外側管状部材
２７ａ                開口
２８                  内側管状部材
２８ａ                開口
３０                  制御部
【図１】
2017137669.tif 000003
【図２】
2017137669.tif 000004
【図３】
2017137669.tif 000005
【図４】
2017137669.tif 000006
【図５】
2017137669.tif 000007
【図６】
2017137669.tif 000008